(57)【要約】 【課題】  ユーザが選局した番組データを受信することができない場合でも、継続して視聴する機能を実行することのできるテレビ受像装置およびテレビ受像方法を提供することを目的とする。【解決手段】    ＥＰＧに従ってユーザにより選局された番組データの物理チャンネルに基づいて、複数のサービスＩＤおよび当該サービスＩＤに対応した複数の番組データを、ＤＴＶアプリケーション部１０７は受信する。受信された複数の番組データのうち、ユーザにより選局された一のサービスＩＤに対応した番組データを表示部１０４は表示する。ここで、ＤＴＶアプリケーション部１０７において、受信された放送波の複数のサービスＩＤの中に、ユーザにより選局された一のサービスＩＤが存在しない場合、プライマリサービスＩＤに基づいた番組データを表示部１０４に表示させる。【選択図】  図２
2006295637.tif 000002
【特許請求の範囲】
【請求項１】
放送波の周波数を示す周波数情報、および当該放送波に多重化されている番組データを一つに特定する一の識別情報を、ユーザによる選局操作により受け付ける選局手段と、
前記選局手段により受け付けられた周波数情報に基づいて、複数の識別情報および当該識別情報に対応した複数の番組データを受信する受信手段と、
前記受信手段により受信された複数の番組データのうち、前記選局手段により受け付けられた前記一の識別情報に対応した番組データを表示する表示手段と、
前記受信手段により受信された複数の識別情報の中に、前記選局手段により受け付けられた前記一の識別情報が存在しない場合、前記表示手段は他の識別情報に基づいた番組データを表示するように、前記表示手段を制御する制御手段と、
を備えるテレビ受像装置。
【請求項２】
放送波の周波数を示す周波数情報と当該放送波に多重化されている複数の番組データのそれぞれを示す複数の識別情報と当該識別情報に基づく番組を説明する番組情報とを対応付けて記憶するサーバから、前記周波数情報、前記識別情報および前記番組情報を取得する取得手段と、
前記取得手段により取得された前記周波数情報、前記識別情報および前記番組情報を対応付けて記憶する記憶手段と、
前記記憶手段に記憶されている番組情報を、ユーザにより選局可能に表示する番組表表示手段と、
をさらに備え、
前記選局手段は、前記番組表表示手段を用いてユーザにより選局された一の番組情報に対応した周波数情報および識別情報を受け付けることを特徴とする請求項１に記載のテレビ受像装置。
【請求項３】
制御手段は、前記受信手段により受信された複数の識別情報の中に、前記選局手段により受け付けられた前記一の識別情報が存在しない場合、ユーザに任意の番組データを選局可能にすることで、前記表示手段は他の識別情報に基づいた番組データを表示するように、前記表示手段を制御することを特徴とする請求項１または２に記載のテレビ受像装置。
【請求項４】
前記制御手段は、前記受信手段による周波数情報に基づいた受信処理を行うことができない場合、視聴履歴に基づいて一の周波数情報および一の識別情報を選択し、
前記受信手段は、前期制御手段により選択された前記一の周波数情報に基づいた受信処理を行い、
前記表示手段は、前記受信手段により受信された前記一の周波数情報に基づいた番組データのうち、前記制御手段により選択された一の識別情報に基づいた番組データを表示する
ことを特徴とする請求項１から４のいずれか１項に記載のテレビ受像装置。
【請求項５】
放送波の周波数を示す周波数情報、および当該放送波に多重化されている番組データを一つに特定する一の識別情報に基づいた番組データを表示する表示手段を備えるテレビ受像装置のテレビ受像方法において、
一の周波数情報、および一の識別情報を、ユーザによる選局操作により受け付ける選局ステップと、
前記選局ステップにより受け付けられた周波数情報に基づいて、複数の識別情報および当該識別情報に対応した複数の番組データを受信する受信ステップと、
前記受信ステップにより受信された複数の識別情報の中に、前記選局ステップにより受け付けられた前記一の識別情報が存在しない場合、他の識別情報に基づいた番組データを表示手段は表示するように、表示手段を制御する制御ステップと、
を備えるテレビ受像方法。
【発明の詳細な説明】
【技術分野】
【０００１】
本発明は、地上デジタル放送などで放送されている番組データを受信し、受信した番組データを表示するテレビ受像装置およびテレビ受像方法に関する。
【背景技術】
【０００２】
近年、デジタルテレビなどのテレビ受像装置において、インターネットを経由してウエブサーバからＥＰＧ（Electric Program Guide：電子番組表）を取得して、取得したＥＰＧを番組選択のために利用しようとすることが考えられている。例えば、特許文献１には、地上デジタル放送を視聴するためのクライアント端末は、インターネット上に配置されているＷｅｂサイトからＥＰＧを、デジタル放送局を介して取得して、ユーザは取得したＥＰＧを視聴することができることが記載されている。
【特許文献１】特開２００２−３００５６４号公報
【発明の開示】
【発明が解決しようとする課題】
【０００３】
しかしながら、Ｗｅｂサイトから取得したＥＰＧに記述されている番組と実際に放送されている番組が異なる場合がある。例えば、同じ放送周波数（物理チャンネル）でも地域によって放送されている番組は異なっている場合がある。また、地域により放送周波数自体が異なる場合がある。つまり、放送されている番組を受信している地域と、Ｗｅｂサイトから取得したＥＰＧが対応している地域とが異なる場合があり、ユーザはＥＰＧに記述されている番組を選択することにより番組を特定して視聴を行うことができない場合がある。
【０００４】
特に、デジタルテレビが受信することができる地上デジタル放送では、一つの放送周波数に複数の番組が多重化されており、地域によっては同じ放送周波数でも、多重化されている番組は異なる場合がある。このように多重化されている番組が異なっている場合、ユーザはＥＰＧに記述されている番組を選択することにより番組を特定して視聴を行うことができない。また、地域によっては、そもそも放送周波数自体が異なる場合もある。このように放送周波数が異なっている場合、ユーザはＥＰＧに記述されている番組を選択することにより番組を特定して視聴を行うことができない。
【０００５】
具体的には、Ｗｅｂサイトから取得されたＥＰＧには、放送周波数である物理チャンネル、および一の番組を特定するための識別情報であるサービスＩＤが各番組に対応付けられて記述されており、ユーザは、ＥＰＧに記述されている番組を選択することにより、上述物理チャンネルおよびサービスＩＤを選択することができる。通常、デジタルテレビは、ユーザにより選択された物理チャンネルに基づいて同期処理を行い、多重化されている複数の番組データおよびこれら番組データを特定するサービスＩＤを受信することができる。そして、デジタルテレビは、ユーザにより選択されたサービスＩＤに基づいて、一の番組データを特定し、特定した番組データを、放送されている放送波から抽出して、表示することができる。
【０００６】
しかしながら、ユーザにより選択されたサービスＩＤが、放送周波数に基づいて放送されている複数のサービスＩＤの中に含まれていない場合、デジタルテレビは、表示すべき番組データを特定することができない。また、ユーザにより選択された放送周波数で、放送波を受信できない場合、デジタルテレビは、表示すべき番組データを特定することができない。よって、ユーザは、デジタルテレビを用いて、当該ユーザにより選択されたサービスＩＤに基づいた番組を視聴することができない。
【０００７】
このように、ユーザにより選択されたサービスＩＤが放送波に含まれていない場合、デジタルテレビ側では、何も処理を行わず番組を表示しない状態とさせるか、または電源を落とすなどデジタルテレビの機能を停止させる処理を行うことが考えられる。また、ユーザにより選択された放送周波数で放送波を受信できない場合、デジタルテレビ側では、何も処理を行わずに番組を表示しない状態とさせるか、または電源を落とすなどデジタルテレビの機能を停止させる処理を行うことが考えられる。しかしながら、何も処理を行わない場合、ユーザはデジタルテレビが壊れている状態なのか、表示待ち状態であるかなど、どういった状態であるか把握することができない。また、電源を落とすなどのデジタルテレビの機能を停止させる処理を行った場合、ユーザが別の番組を見たい場合は、再度デジタルテレビの機能を起動させることを必要とし、その手間がかかるとともに、起動させるための時間を必要とし、視聴するまでの時間がかかることになる。
【０００８】
そこで、本発明は、ユーザが選局した番組データを受信することができない場合でも、継続して視聴する機能を実行することのできるテレビ受像装置およびテレビ受像方法を提供することを目的とする。
【課題を解決するための手段】
【０００９】
上述の課題を解決するため、本発明のテレビ受像装置は、放送波の周波数を示す周波数情報、および当該放送波に多重化されている番組データを一つに特定する一の識別情報を、ユーザによる選局操作により受け付ける選局手段と、上記選局手段により受け付けられた周波数情報に基づいて、複数の識別情報および当該識別情報に対応した複数の番組データを受信する受信手段と、上記受信手段により受信された複数の番組データのうち、上記選局手段により受け付けられた上記一の識別情報に対応した番組データを表示する表示手段と、上記受信手段により受信された複数の識別情報の中に、上記選局手段により受け付けられた上記一の識別情報が存在しない場合、上記表示手段は、他の識別情報に基づいた番組データを表示するように、上記表示手段を制御する制御手段と、を備えている。
【００１０】
また、本発明のテレビ受像方法は、放送波の周波数を示す周波数情報、および当該放送波に多重化されている番組データを一つに特定する一の識別情報に基づいた番組データを表示する表示手段を備えるテレビ受像装置のテレビ受像方法において、一の周波数情報、および一の識別情報を、ユーザによる選局操作により受け付ける選局ステップと、上記選局ステップにより受け付けられた周波数情報に基づいて、複数の識別情報および当該識別情報に対応した複数の番組データを受信する受信ステップと、上記受信ステップにより受信された複数の識別情報の中に、上記選局ステップにより受け付けられた上記一の識別情報が存在しない場合、他の識別情報に基づいた番組データを表示手段は表示するように、表示手段を制御する制御ステップと、を備えている。
【００１１】
この発明によれば、ユーザにより選局された周波数情報に基づいて、複数の識別情報および当該識別情報に対応した複数の番組データを受信し、受信した複数の番組データのうち、ユーザにより選局された一の識別情報に対応した番組データを表示し、受信した複数の識別情報の中に、ユーザにより選局された一の識別情報が存在しない場合、他の識別情報に基づいた番組データを表示するようにしたものである。これにより、ユーザにより選局された識別情報が、周波数情報に基づいて放送局から放送されていない場合でも、本発明は継続して何らかの番組を表示することができる。よって、ユーザは、テレビ機能を再起動させる必要がなく、本発明は、その操作性を向上させることができる。
【００１２】
また、本発明のテレビ受像装置は、放送波の周波数を示す周波数情報と当該放送波に多重化されている複数の番組データのそれぞれを示す複数の識別情報と当該識別情報に基づく番組を説明する番組情報とを対応付けて記憶するサーバから、上記周波数情報、上記識別情報および上記番組情報を取得する取得手段と、上記取得手段により取得された上記周波数情報、上記識別情報および上記番組情報を対応付けて記憶する記憶手段と、上記記憶手段に記憶されている番組情報を、ユーザにより選局可能に表示する番組表表示手段と、をさらに備え、上記選局手段は、上記番組表表示手段を用いてユーザにより選局された一の番組情報に対応した周波数情報および識別情報を受け付けることが好ましい。
【００１３】
この発明によれば、サーバから周波数情報、識別情報および番組情報を取得し、取得した番組情報から一の番組情報がユーザにより選局されることにより周波数情報および識別情報が選局される。よって、ユーザは簡単な操作に基づいて周波数情報および識別情報を選局することができ、本発明のテレビ受像装置は、その操作性を向上させることができる。
【００１４】
また、本発明のテレビ受像装置の上記制御手段は、上記受信手段により受信された複数の識別情報の中に、上記選局手段により受け付けられた上記一の識別情報が存在しない場合、ユーザに任意の番組データを選局可能にすることで、上記表示手段は他の識別情報に基づいた番組データを表示するように、上記表示手段を制御することが好ましい。
【００１５】
この発明によれば、受信された複数の識別情報の中に、受け付けられた一の識別情報が存在しない場合、他の識別情報に基づいた番組データを表示するように、ユーザに選局可能にさせることができ、使い勝手の良いテレビ受像装置を実現することができる。
【００１６】
また、本発明のテレビ受像装置の上記制御手段は、上記受信手段による周波数情報に基づいた受信処理を行うことができない場合、視聴履歴に基づいて一の周波数情報および一の識別情報を選択し、上記受信手段は、上記一の周波数情報に基づいた受信処理を行い、上記表示手段は、上記受信手段により受信された上記一の周波数情報に基づいた番組データのうち、上記制御手段により選択された一の識別情報に基づいた番組データを表示することが好ましい。
【００１７】
この発明によれば、周波数情報に基づいた受信処理を行うことができない場合、これまで視聴した視聴履歴に基づいて一の周波数情報および一の識別情報を選択し、一の周波数情報に基づいた受信処理を行い、受信された一の周波数情報に基づいた番組データのうち、選択された一の識別情報に基づいた番組データを表示することができ、使い勝手のよいテレビ受像装置を実現することができる。
【発明の効果】
【００１８】
本発明は、ユーザにより選局された周波数情報に基づいて、複数の識別情報および当該識別情報に対応した複数の番組データを受信し、受信した複数の番組データのうち、ユーザにより選局された一の識別情報に対応した番組データを表示し、受信した複数の識別情報の中に、ユーザにより選局された一の識別情報が存在しない場合、他の識別情報に基づいた番組データを表示するようにしたものである。これにより、本発明は、ユーザにより選局された識別情報が、周波数情報に基づいて放送局から放送されていない場合でも、継続して何らかの番組を表示することができる。よって、ユーザは、テレビ機能を再起動させる必要がなく、本発明は、その操作性を向上させることができる。
【発明を実施するための最良の形態】
【００１９】
本発明は、一実施形態のために示された添付図面を参照して以下の詳細な記述を考慮することによって容易に理解することができる。引き続いて、添付図面を参照しながら本発明の実施形態を説明する。可能な場合には、同一の部分には同一の符号を付して、重複する説明を省略する。
【００２０】
図１は、本実施形態の移動機１００、ＥＰＧサイト２００、ＥＰＧ情報源センタ３００、放送局４００、および放送アンテナ５００を示すシステム構成図である。移動機１００は、放送アンテナ５００から放送されている地上デジタル放送による放送波を受信して、地上デジタル放送の放送波に含まれている番組データをユーザに視聴可能に表示することができる。
【００２１】
ＥＰＧサイト２００は、インターネット上に配置されているサーバであって、ＥＰＧ（Electric Program Guide：電子番組表）を記憶している。このＥＰＧサイト２００は、移動機１００からの要求に応じてインターネットを経由して移動機１００にＥＰＧを配信することができる。このＥＰＧサイト２００に記憶されているＥＰＧは、ＥＰＧ情報源センタ３００から随時取得される。このＥＰＧ情報源センタ３００に記憶されているＥＰＧは、放送局４００から随時配信される。
【００２２】
このようにして、ＥＰＧサイト２００は、最新のＥＰＧを記憶することができ、移動機１００はＥＰＧサイト２００から最新のＥＰＧを取得することができる。
【００２３】
次に、本実施形態の移動機１００の構成について説明する。図２は、移動機１００のブロック構成図である。この移動機１００は、データ通信部１０１、ＥＰＧアプリケーション部１０２（取得手段）、メモリ部１０３（記憶手段）、表示部１０４（表示手段、番組表表示手段）、操作部１０５（選局手段）、チューナ部１０６（受信手段）、アンテナ部１０６ａ、およびＤＴＶアプリケーション部１０７（制御手段）を含んで構成されている。このＤＴＶアプリケーション部１０７は、サービスＩＤ判断部１０８、および視聴チャンネル履歴記憶部１０９を含んでいる。
【００２４】
データ通信部１０１は、ＥＰＧアプリケーション部１０２からの制御により、無線網を介してインターネットとデータ通信する部分である。このデータ通信部１０１は、無線網を介してＥＰＧサイト２００からＥＰＧを取得した場合は、取得したＥＰＧをＥＰＧアプリケーション部１０２に出力する。
【００２５】
ＥＰＧアプリケーション部１０２は、データ通信部１０１を介してＥＰＧサイト２００からＥＰＧを取得し、取得したＥＰＧに基づいてユーザにより番組データの選局を行わせるアプリケーションである。具体的には、ＥＰＧアプリケーション部１０２は、ユーザからの指示により、ＥＰＧをＥＰＧサイト２００から取得した場合、取得したＥＰＧをメモリ部１０３に記憶させる。そして、ユーザからの指示によりＥＰＧアプリケーション部１０２が起動した場合、ＥＰＧアプリケーション部１０２は、メモリ部１０３からＥＰＧを読み出し、表示部１０４にユーザにより利用可能な状態で出力して、表示部１０４にＥＰＧを表示させる。
【００２６】
なお、ＥＰＧアプリケーション部１０２の起動には、未起動状態からユーザの指示により起動することのほか、サスペンド処理などの一時的に停止した状態から復帰すること、またはマルチタスク処理などにおいて非アクティブ状態からアクティブ状態（使用できる状態）となること、を含む。
【００２７】
また、表示部１０４に表示されているＥＰＧの表示画面に基づいて、ユーザにより一の番組データが選局された場合、ＥＰＧアプリケーション部１０２は、選局した番組を表示部１０４に表示させるように、選局した番組データに対応した物理チャンネルおよびサービスＩＤをＤＴＶアプリケーション部１０７に出力する。また、ＤＴＶアプリケーション部１０７が起動していないときに、ＥＰＧに従った選局がユーザによりなされた場合、ＥＰＧアプリケーション部１０２は、ＤＴＶアプリケーション部１０７に起動信号を出力し、ＤＴＶアプリケーション部１０７はこの起動信号を受けて起動することになる。このように、ユーザは、表示部１０４に表示されているＥＰＧを見ながら、操作部１０５を操作することにより、任意の番組データを選局し、ＤＴＶアプリケーション部１０７を用いて番組データを視聴することができる。
【００２８】
なお、ＤＴＶアプリケーション部１０７の起動とは、未起動状態からユーザの指示により起動することのほか、サスペンド処理などの一時的に停止した状態から復帰すること、またはマルチタスク処理などにおいて非アクティブ状態からアクティブ状態（使用できる状態）となること、を含む。
【００２９】
ここで、表示部１０４がＥＰＧをユーザに利用可能に表示しているときの表示画面例を、図を用いて説明する。図３は、表示部１０４に表示されているＥＰＧの表示画面例を示す説明図である。図３に示すように、ＥＰＧの表示画面は、放送周波数である物理チャンネルを記述するチャンネルエリア１０４ａと、番組のタイトルなどの番組情報を示す番組表示エリア１０４ｂとから構成されており、それぞれ物理チャンネルと番組情報とが、番組データが放送されている時間帯ごとに対応付けられている。図３に示されているＥＰＧの表示画面を見ながら、ユーザは操作部１０５を操作して、視聴したい任意の番組データを選択することができる。
【００３０】
また、ＥＰＧには、番組表示エリア１０４ｂに記述されている各番組情報に関連付けてサービスＩＤが記述されている。このサービスＩＤとは、放送波に多重化されている番組データをそれぞれ特定することができる識別情報である。そして、ユーザは、ＥＰＧに従って番組データを選択することにより、ＥＰＧアプリケーション部１０２は、選択した番組データに関連付けられたサービスＩＤを選択することになる。また、ＥＰＧには、番組放送時間、番組開始時間、番組終了時間、編成チャンネル名、放送エリア、リモコン番号、およびネットワークＩＤが記述されている。
【００３１】
図２に戻り、引き続き説明する。メモリ部１０３は、ＥＰＧアプリケーション部１０２により取得されたＥＰＧを記憶する部分である。
【００３２】
表示部１０４は、ＥＰＧアプリケーション部１０２により取得されたＥＰＧを表示する部分である。また、表示部１０４は、後述するように、ＤＴＶアプリケーション部１０７により抽出された番組データを表示する部分である。その他、表示部１０４は、移動機１００を操作する上で必要な情報（電話番号、メールアドレス、メール本文など）を表示することができる。
【００３３】
操作部１０５は、ユーザからの操作を受け付ける部分であり、具体的には、移動機１００を操作するための数字キーからなるテンキーを含んで構成されている。ユーザは、操作部１０５を操作することにより、ＥＰＧの表示画面に従って視聴する番組データを選局することができる。また、ユーザは、直接数字を入力することによりＤＴＶアプリケーション部１０７に物理チャンネルおよびサービスＩＤを設定して番組データの選局をすることができる。
【００３４】
チューナ部１０６は、アンテナ部１０６ａを備え、アンテナ部１０６ａを介して地上デジタル放送波などの放送波を受信する受信回路である。
【００３５】
ＤＴＶアプリケーション部１０７は、デジタルテレビを視聴するためのアプリケーションであって、サービスＩＤ判断部１０８および視聴チャンネル履歴記憶部１０９を含んで構成されている。このように構成されたＤＴＶアプリケーション部１０７は、ユーザの操作により起動し、ユーザにより指定された物理チャンネルに基づいてチューナ部１０６における放送波に対する同期処理を行う。ここで指定された物理チャンネルは、ＥＰＧの表示画面に従ってユーザにより選局された番組データに関連付けられた物理チャンネルであるが、直接入力された物理チャンネルであってもよい。そして、ＤＴＶアプリケーション部１０７は、物理チャンネルに基づいて受信した放送波に多重化されている複数の番組データから、ユーザにより指定された一のサービスＩＤに対応した番組データを抽出し、抽出した番組データを表示部１０４に表示するよう動作する。ここで指定されたサービスＩＤは、ＥＰＧの表示画面に従ってユーザにより選局された番組に関連付けられたサービスＩＤである。
【００３６】
さらに詳細には、ＤＴＶアプリケーション部１０７は、放送波に対する同期処理を行うとともに、チューナ部１０６で受信した放送波に対してＯＦＤＭ復調処理、およびＲＳ復号処理に基づく誤り訂正処理を行う。また、ＤＴＶアプリケーション部１０７は、チューナ部１０６で受信した放送波に多重化されている複数の番組データを分離する分離処理を行い、ユーザにより選局された物理チャンネルおよびサービスＩＤで指定された番組データを抽出し、抽出した番組データを表示部１０４にて表示可能に出力する。
【００３７】
また、ＤＴＶアプリケーション部１０７は、ＥＰＧの表示画面に従ってユーザにより選局された番組データに、物理チャンネルがＥＰＧ内で関連付けられていない場合、物理チャンネルがＥＰＧ内に記述されていない旨のエラーメッセージを表示部１０４に表示させる。その後、ＤＴＶアプリケーション部１０７は、テレビ視聴を継続するか否かをユーザに確認させるメッセージを表示部１０４に表示させる。ＤＴＶアプリケーション部１０７は、ユーザによりテレビ視聴を継続する旨の操作がされた場合、視聴チャンネル履歴記憶部１０９からこれまで視聴していた任意の物理チャンネルおよびサービスＩＤである視聴チャンネル履歴（最後に視聴したチャンネルであるラストチャンネルでもよい）を取り出し、取り出した視聴チャンネル履歴に基づいた放送波の同期処理および番組データの抽出処理を行う。なお、視聴チャンネル履歴には、複数のチャンネル情報が記述されており、ユーザの操作により一の物理チャンネルおよび一のサービスＩＤが選択される。また、視聴履歴の多い物理チャンネルおよびサービスＩＤが自動的に選択されるようにしてもよい。
【００３８】
また、ＤＴＶアプリケーション部１０７は、ユーザによりテレビ視聴を継続しない旨の操作がされた場合、テレビ表示処理を停止し、ＤＴＶアプリケーション部１０７の機能を停止する。さらに、ＤＴＶアプリケーション部１０７は、ユーザの操作によりテレビ視聴を終了する場合は、終了時に選局していた物理チャンネルおよびサービスＩＤを視聴チャンネル履歴として視聴チャンネル履歴記憶部１０９に記憶させる。
【００３９】
続いて、ＤＴＶアプリケーション部１０７を構成するサービスＩＤ判断部１０８および視聴チャンネル履歴記憶部１０９について説明する。
【００４０】
サービスＩＤ判断部１０８は、ＤＴＶアプリケーション部１０７に入力された放送波に多重化されている番組データを示すサービスＩＤを放送波から抽出し、放送波から抽出したサービスＩＤが、ＥＰＧに従って選局された番組データに関連付けられたサービスＩＤと、一致するか否かを判断する部分である。そして、サービスＩＤ判断部１０８は、放送波から抽出したサービスＩＤの中に、ＥＰＧに従って選局された番組データに関連付けられたサービスＩＤが存在せず、放送波から抽出したサービスＩＤと選局されたサービスＩＤとが一致しないと判断した場合、ユーザにサービスＩＤが一致しない旨のエラーメッセージを表示部１０４に表示させる。また、ＥＰＧの表示画面に従ってユーザにより選局された番組データに、サービスＩＤがＥＰＧ内で関連付けられていない場合、サービスＩＤ判断部１０８は、サービスＩＤがＥＰＧ内に記述されていない旨のエラーメッセージを表示部１０４に表示させる。その後、サービスＩＤ判断部１０８は、ユーザにテレビ視聴を継続するか否かの確認を行わせるため、表示部１０４に確認の表示を行わせる。ＤＴＶアプリケーション部１０７では、ユーザによりテレビ視聴を継続する旨の指示を受けた場合、プライマリサービスＩＤとして定められているサービスＩＤに基づいた番組データを抽出し、表示部１０４に表示させる。
【００４１】
視聴チャンネル履歴記憶部１０９は、物理チャンネルおよびサービスＩＤを記憶する部分であって、ＤＴＶアプリケーション部１０７内に構成されており、ユーザの操作によりテレビ視聴を終了する場合や、他のチャンネルに切り替える番組選局時に、終了時、あるいはチャンネル切り替え時に選局していた物理チャンネルおよびサービスＩＤを視聴チャンネル履歴として記憶する部分である。
【００４２】
次に、上述のとおり構成された移動機１００の動作について説明する。図４は、移動機１００におけるＥＰＧを取得するときのＥＰＧアプリケーション部１０２の動作を示すフローチャートである。
【００４３】
ＥＰＧアプリケーション部１０２がユーザの指示により起動し（Ｓ１０１）、ＥＰＧアプリケーション部１０２において、メモリ部１０３にＥＰＧが記憶されているか否かが判断される（Ｓ１０２）。メモリ部１０３にＥＰＧが記憶されていると、ＥＰＧアプリケーション部１０２により判断された場合、ＥＰＧはＥＰＧアプリケーション部１０２によりメモリ部１０３から読み出され、表示部１０４に表示される（Ｓ１０３）。メモリ部１０３にＥＰＧが記憶されていないと、ＥＰＧアプリケーション部１０２により判断された場合、Ｓ１０４に進み、ＥＰＧの更新処理のための処理が行われる。
【００４４】
Ｓ１０３において、ＥＰＧが表示部１０４に表示された後、ユーザによりＥＰＧの更新処理の指示が行われるか否かが判断される（Ｓ１０４）。更新処理の指示がユーザにより与えられた場合、Ｓ１０５に進み、ＥＰＧの更新処理（新たに取り込むことも含む）が開始される。
【００４５】
ＥＰＧの更新処理では、まずＪａｖａ通信のためのＩ／Ｆ（インターフェース）機能が起動される（Ｓ１０５）。なお、Ｊａｖａ通信に限ることなく、ＥＰＧの更新処理において実行されるアプリケーションに適した通信方法が実現できれば良い。また、Ｊａｖａは、Sun Microsystemsの登録商標である。そして、ＥＰＧアプリケーション部１０２により、Ｃｏｎｎｅｃｔｉｏｎがオープンされ、通信経路が確保される（Ｓ１０６）。通信経路が確保されると、ＥＰＧアプリケーション部１０２によりＧＥＴメソッドが送信され、ＥＰＧの要求が行われる（Ｓ１０７）。なお、ＥＰＧ情報の送信要求を示す制御信号であれば、ＨＴＴＰによる通信プロトコルのＧＥＴメソッドに限定するものではない。
【００４６】
ＥＰＧサイト２００では、移動機１００からＧＥＴメソッドが送信されると、ＧＥＴメソッドが受信され（Ｓ２０１）、ＥＰＧサイト２００で記憶されているＥＰＧが送信される（Ｓ２０２）。
【００４７】
移動機１００では、ＥＰＧアプリケーション部１０２によりＥＰＧサイト２００からＥＰＧが受信され（Ｓ１０８）、受信されたＥＰＧはメモリ部１０３に記憶される（Ｓ１０９）。その後、ＥＰＧアプリケーション部１０２により、Ｃｏｎｎｅｃｔｉｏｎがクローズされ、通信経路が開放される（Ｓ１１０）。その後、取得されたＥＰＧが、表示部１０４に表示される（Ｓ１１１）。表示中は、ユーザによりＥＰＧに従った番組選局が可能となる。そして、ユーザによりＥＰＧアプリケーション部１０２の終了指示がなされると、ＥＰＧアプリケーション部１０２は終了する（Ｓ１１２）。なお、Ｃｏｎｎｅｃｔｉｏｎがクローズされた後に、ＥＰＧがメモリ部１０３に記憶されるようにしても良い。
【００４８】
以上のとおり、ＥＰＧアプリケーション部１０２により、ＥＰＧはＥＰＧサイト２００から取得される。
【００４９】
次に、取得したＥＰＧを用いてユーザが視聴したい番組データを選択するときの移動機１００の動作について説明する。図５は、ＥＰＧを用いて番組データの選局をしたときの、ＥＰＧアプリケーション部１０２およびＤＴＶアプリケーション部１０７の動作を示すフローチャートである。
【００５０】
ＥＰＧアプリケーション部１０２が、ユーザの指示により起動される（Ｓ３０１）。そして、メモリ部１０３に記憶されているＥＰＧがＥＰＧアプリケーション部１０２により読み出され、表示部１０４に表示される。なお、メモリ部１０３にＥＰＧが記憶されていない場合、またはＥＰＧが更新される場合は、図４に示す処理に従って更新処理が行われ、ＥＰＧが取得される（Ｓ３０２）。
【００５１】
表示部１０４にＥＰＧが表示され、ＥＰＧの表示画面に従って、ユーザにより任意の番組データが選局されたか否かが判断される（Ｓ３０３）。任意の番組が選局された場合、この選局動作に連動してＤＴＶアプリケーション部１０７を起動するよう起動指示信号がＤＴＶアプリケーション部１０７に出力される（Ｓ３０４）。そして、ＥＰＧに記憶されている物理チャンネルおよびサービスＩＤがＤＴＶアプリケーション部１０７に出力される（Ｓ３０５）。物理チャンネルおよびサービスＩＤが出力された後、ＥＰＧアプリケーション部１０７はサスペンド処理により一時的に停止する（Ｓ３０６）。なお、ＥＰＧアプリケーション部１０７は、サスペンド処理を行うことなく、マルチタスク処理により起動した状態のままとしてもよい。
【００５２】
ＤＴＶアプリケーション部１０７では、ＥＰＧアプリケーション部１０２から起動信号が受信されると、ＤＴＶアプリケーション部１０７は起動する（Ｓ４０１）。起動後、ＥＰＧアプリケーション部１０２から出力された物理チャンネルおよびサービスＩＤが、ＤＴＶアプリケーション部１０２により受信される（Ｓ４０２）。
【００５３】
ＤＴＶアプリケーション部１０７では、物理チャンネルが受信されない場合（Ｓ４０３）、処理１に進む。また、サービスＩＤが受信されない場合（Ｓ４０４）、処理２に進む。通常、ＥＰＧには、番組名、物理チャンネル、およびサービスＩＤがそれぞれ対応付けて記述されている。ここでは、ＥＰＧのエラーにより物理チャンネルまたはサービスＩＤが適正にＥＰＧに記述されてない場合を考慮したものである。
【００５４】
ＤＴＶアプリケーション部１０７では、物理チャンネルおよびサービスＩＤが受信された場合、受信された物理チャンネルを用いて同期処理が行われる（Ｓ４０５）。ここでの同期処理において、ＤＴＶアプリケーション部１０７において正常に同期処理が行われたか否かが判断される（Ｓ４０６）。ＤＴＶアプリケーション部１０７により正常に同期処理が行われなかった場合は、処理１に進む。
【００５５】
ＤＴＶアプリケーション部１０７により正常に同期処理が行われた場合は、ＤＴＶアプリケーション部１０７において受信されている放送波から抽出されたサービスＩＤが、サービスＩＤ判断部１０８により確認される（Ｓ４０７）。サービスＩＤ判断部１０８により放送波から抽出されたサービスＩＤと、ＥＰＧに従ってユーザにより選局されたサービスＩＤとを比較し、サービスＩＤが一致するか否かが判断される（Ｓ４０８）。抽出されたサービスＩＤの中に選局されたサービスＩＤが存在しており、サービスＩＤが一致する場合は、処理３に進み、抽出されたサービスＩＤの中に選局されたサービスＩＤが存在しておらず、サービスＩＤが不一致である場合には、処理２に進む。
【００５６】
以上のとおり、移動機１００においては、ＥＰＧアプリケーション部１０２で選局された番組データに関連付けられた物理チャンネルおよびサービスＩＤが、ＤＴＶアプリケーション部１０７に出力され、ＤＴＶアプリケーション部１０７ではＥＰＧアプリケーション部１０２から入力された物理チャンネルおよびサービスＩＤを用いて放送波の受信処理を行うことができる。また、物理チャンネルまたはサービスＩＤがＥＰＧアプリケーション部１０２から入力されなかった場合、物理チャンネルに基づいて同期処理ができない場合、または受信している放送波に視聴しようとした番組データのサービスＩＤが存在していない場合、のそれぞれに処理１〜３を実行することで、適切な処理を行うことができる。以下、これら処理１〜３について説明する。
【００５７】
図６は、処理１の動作を示し、ＥＰＧに物理チャンネルが記述されていない番組データがユーザにより選局されたとき、および物理チャンネルに基づいて同期処理ができないとき、のＤＴＶアプリケーション部１０７の動作を示すフローチャートである。
【００５８】
ＤＴＶアプリケーション部１０７では、物理チャンネルのパラメータがＥＰＧに記述されておらず、放送波の受信処理が行えない旨、または物理チャンネルに基づいて同期処理ができない旨を、ユーザに通知するため、エラーメッセージが表示部１０４に表示される（Ｓ５０１）。このエラーメッセージの表示後、ＤＴＶアプリケーション部１０７を継続して使用するか否かをユーザに問い合わせるメッセージが表示され、ＤＴＶアプリケーション部１０７では、その問い合わせに対するユーザによる指示が受け付けられる（Ｓ５０２）。
【００５９】
Ｓ５０２において、ＤＴＶアプリケーション部１０７を継続使用する旨のユーザによる指示がなされた場合は、ＤＴＶアプリケーション部１０７では、視聴チャンネル履歴記憶部１０９からあらかじめ定められている視聴チャンネル履歴（物理チャンネルおよびサービスＩＤ）が読み出され、読み出された物理チャンネルに従って同期処理が行われ、サービスＩＤに従った番組データが抽出され、抽出された番組データが表示部１０４にて表示される（Ｓ５０３）。ここでは、ＤＴＶアプリケーション部１０７は、ユーザに任意の視聴チャンネル履歴に基づいて一のチャンネルを選局させるために、選局画面を表示させ、ユーザが選局した視聴チャンネル履歴を抽出し、抽出した視聴チャンネル履歴に対応する番組データを表示部１０４にて表示させるようにしても良い。なお、Ｓ５０１およびＳ５０２の処理を行うことなく、視聴チャンネル履歴に基づいた番組データが抽出され、表示部１０４にて表示されるようにしてもよい。この場合、ユーザによる操作をなくし、使い勝手を向上させることができる。
【００６０】
その後、ユーザにより視聴終了の操作がされると（Ｓ５０４）、終了時に受信していた物理チャンネルおよびサービスＩＤが視聴チャンネル履歴記憶部１０９に記憶される（Ｓ５０５）。そして、ＤＴＶアプリケーション部１０７は終了し（Ｓ５０６）、処理４に進み、ＥＰＧアプリケーション部１０２が起動される。なお、ＥＰＧアプリケーション部１０２を起動することなく、ＤＴＶアプリケーション部１０７を終了してもよい。
【００６１】
また、Ｓ５０２において、ＤＴＶアプリケーション部１０７を継続使用しない指示がされた場合、視聴チャンネル履歴記憶部１０９に視聴チャンネル履歴を記憶することなく、ＤＴＶアプリケーション部１０７は終了する（Ｓ５０７）。そして、処理４に進み、ＥＰＧアプリケーション部１０２が起動される。なお、ＥＰＧアプリケーション部１０２を起動することなく、ＤＴＶアプリケーション部１０７を終了してもよい。
【００６２】
以上のとおり、ＥＰＧに物理チャンネルが記述されておらず、または、物理チャンネルに基づいて同期処理ができず、ＤＴＶアプリケーション部１０７において放送波の受信処理ができない場合は、その旨をユーザに通知し、通知後、ＤＴＶアプリケーション部１０７の継続使用を行うか否かをユーザに確認させることができる。
【００６３】
次に、処理２について説明する。図７は、処理２の動作であって、ＥＰＧにサービスＩＤが記述されていない場合、または、ＥＰＧに表示されている番組データを指定することで取得したサービスＩＤが、実際に放送波に多重化されている番組データのサービスＩＤと一致しない場合、すなわち放送波に、受信しようとするサービスＩＤが含まれていない場合のＤＴＶアプリケーション部１０７の動作を示すフローチャートである。
【００６４】
ＥＰＧに表示されている番組データを指定することで取得したサービスＩＤが、実際に放送波に多重化されている番組データのサービスＩＤと一致しないと、サービスＩＤ判断部１０８において判断されると、サービスＩＤが一致しない旨のメッセージが表示部１０４に表示され、ユーザに通知される（Ｓ６０１）。また、ＥＰＧにサービスＩＤが記述されていないと、サービスＩＤ判断部１０８において判断されると、ＥＰＧにサービスＩＤが記述されていない旨のメッセージが表示部１０４に表示され、ユーザに通知される（Ｓ６０１）。なお、ＥＰＧに表示されている番組データを指定することでサービスＩＤを取得することに代えて、ユーザにより直接サービスＩＤが入力されることによりサービスＩＤが取得されるようにしてもよい。
【００６５】
このエラーメッセージの表示後、ＤＴＶアプリケーション部１０７を継続使用するか否かをユーザに問い合わせるメッセージが表示され、ＤＴＶアプリケーション部１０７では、その問い合わせに対するユーザによる指示が受け付けられる（Ｓ６０２）。
【００６６】
Ｓ６０２において、ＤＴＶアプリケーション部１０７を継続使用する旨のユーザによる指示がなされた場合は、ＤＴＶアプリケーション部１０７では、予め定められているプライマリサービスＩＤに従った番組データが抽出され、表示部１０４にて表示される（Ｓ６０３）。ここでは、プライマリサービスＩＤとは、一の放送波に複数含まれているサービスＩＤのうち、筆頭のサービスＩＤとしているが、筆頭のサービスＩＤに限定するものではなく、最後のサービスＩＤとしてもよいし、またその他、任意のサービスＩＤとしてもよい。また、ＤＴＶアプリケーション部１０７は、ユーザにより任意のサービスＩＤを選局させるために、選局画面を表示させ、ユーザが選局したサービスＩＤを抽出し、抽出したサービスＩＤに対応する番組データを表示部１０４にて表示させるようにしても良い。なお、Ｓ６０１およびＳ６０２の処理を行うことなく、プライマリサービスＩＤに基づいた番組データが抽出され、表示部１０４にて表示されるようにしてもよい。この場合、ユーザによる操作をなくし、使い勝手を向上させることができる。
【００６７】
その後、ユーザにより視聴終了の操作がされると（Ｓ６０４）、終了時に受信していた物理チャンネルおよびサービスＩＤが視聴チャンネル履歴記憶部１０９に記憶される（Ｓ６０５）。そして、ＤＴＶアプリケーション部１０７は、終了し（Ｓ６０６）、処理４に進み、ＥＰＧアプリケーション部１０２が起動される。なお、ＥＰＧアプリケーション部１０２を起動することなく、ＤＴＶアプリケーション部１０７を終了してもよい。
【００６８】
また、Ｓ６０２において、ＤＴＶアプリケーション部１０７を継続使用しない指示がされた場合、視聴チャンネル履歴記憶部１０９に視聴チャンネル履歴を記憶することなく、ＤＴＶアプリケーション部１０７は終了する（Ｓ６０７）。そして、処理４に進み、ＥＰＧアプリケーション部１０２が起動される。なお、ＥＰＧアプリケーション部１０２を起動することなく、ＤＴＶアプリケーション部１０７を終了してもよい。
【００６９】
以上のとおり、ＥＰＧに表示されている番組データを指定することで取得したサービスＩＤが、実際に放送波に多重化されている番組データのサービスＩＤと一致しない場合、またはＥＰＧにサービスＩＤが記述されていない場合でも、プライマリサービスＩＤに従って何らかの番組データを放送波から抽出して表示することができる。また、番組データを表示するのに先立って、サービスＩＤが不一致の旨、またはＥＰＧにサービスＩＤが記述されていない旨をユーザに通知し、通知後、ＤＴＶアプリケーション部１０７の継続使用を行うか否かをユーザに確認させることもできる。また、サービスＩＤが不一致の旨、またはＥＰＧにサービスＩＤが記述されていない旨のエラーメッセージのみが表示されるようにしても良い。この場合は、確実にユーザにサービスＩＤが不一致である旨、またはＥＰＧにサービスＩＤが記述されていない旨を知らせることができる。
【００７０】
次に、処理３について説明する。図８は、処理３の動作を示し、物理チャンネルおよびサービスＩＤが正常にＥＰＧに記述されており、記述されているサービスＩＤに基づく番組データを正常に抽出することができた場合の動作を示し、いわゆる正常時のＤＴＶアプリケーション部１０７の動作を示すフローチャートである。
【００７１】
ＤＴＶアプリケーション部１０７では、ＥＰＧでユーザにより一の番組データが指定されることにより指定された物理チャンネルに基づいて同期処理が行われ、指定されたサービスＩＤに対応した番組データの抽出処理が行われ、抽出された番組データが表示部１０４に表示される（Ｓ７０１）。その後、ユーザによる任意の操作により番組データの視聴を終了する旨の操作が行われると（Ｓ７０２）、終了操作時に視聴していた番組データを示す視聴チャンネル履歴（物理チャンネルおよびサービスＩＤ）が視聴チャンネル履歴記憶部１０９に記憶される（Ｓ７０３）。そして、ＤＴＶアプリケーション部１０７の動作は終了し、処理４に戻り、ＥＰＧアプリケーション部１０２が起動される。なお、ＥＰＧアプリケーション部１０７は起動しないようにしてもよい。
【００７２】
次に、本実施形態の移動機１００の作用効果について説明する。本実施形態の移動機１００によれば、ユーザにより選局された周波数情報である物理チャンネルに基づいて、チューナ部１０６は、アンテナ部１０６ａを介して、複数の識別情報であるサービスＩＤおよび当該サービスＩＤに対応した複数の番組データを受信し、ＤＴＶアプリケーション部１０７は、受信された複数の番組データのうち、ユーザにより選局された一のサービスＩＤに対応した番組データを表示部１０４に表示させる。そして、ＤＴＶアプリケーション部１０７は、受信された複数のサービスＩＤの中に、ユーザにより選局された一のサービスＩＤが存在しないと判断した場合、他のサービスＩＤであるプライマリサービスＩＤに基づいた番組データを表示部１０４に表示させる。これにより、ユーザにより選局されたサービスＩＤが、物理チャンネルに基づいて放送局から放送されていない場合でも、ＤＴＶアプリケーション部１０７は継続して何らかの番組データを表示部１０４に表示することができる。よって、移動機１００は、ユーザによるテレビ機能を再起動させる必要がなく、使い勝手を向上させることができる。
【００７３】
また、この移動機１００は、ＥＰＧサイト２００から物理チャンネル、サービスＩＤ、および番組情報を含んだＥＰＧを取得し、ユーザは、取得したＥＰＧに従って、任意の番組情報を選局することにより物理チャンネルおよびサービスＩＤを選局することができる。よって、ユーザは簡単な操作に基づいて物理チャンネルおよびサービスＩＤを選局することができ、移動機１００は、その操作性を向上させることができる。
【００７４】
また、この移動機１００は、受信された複数のサービスＩＤの中に、受け付けられた一のサービスＩＤが存在しない場合、他のサービスＩＤに基づいた番組データを表示するように、ユーザに選局可能にさせることができ、使い勝手の良い移動機１００におけるテレビ機能を実現することができる。
【００７５】
また、この異動期１００は、物理チャンネルに基づいた受信処理を行うことができない場合、これまで視聴した視聴履歴に基づいて一の物理チャンネルおよび一のサービスＩＤを選択し、一の物理チャンネルに基づいた受信処理を行い、受信された一の物理チャンネルに対応する番組データのうち、選択された一のサービスＩＤに基づいた番組データを表示することができ、使い勝手のよいテレビ受像装置を実現することができる。
【図面の簡単な説明】
【００７６】
【図１】本実施形態の移動機１００、ＥＰＧサイト２００、ＥＰＧ情報源センタ３００、放送局４００、および放送アンテナ５００を示すシステム構成図である
【図２】移動機１００のブロック構成図である。
【図３】表示部１０４に表示されているＥＰＧの表示画面例を示す説明図である。
【図４】移動機１００におけるＥＰＧを取得するときのＥＰＧアプリケーション部１０２の動作を示すフローチャートである。
【図５】ＥＰＧを用いて番組データ選局をしたときの、ＥＰＧアプリケーション部１０２およびＤＴＶアプリケーション部１０７の動作を示すフローチャートである。
【図６】ＥＰＧに物理チャンネルが記述されていない番組データがユーザにより選局されたときのＤＴＶアプリケーション部１０７の動作を示すフローチャートである。
【図７】ＥＰＧにサービスＩＤが記述されていない場合、またはＥＰＧに表示されている番組データを指定することで取得したサービスＩＤが、実際に放送波に多重化されている番組のサービスＩＤと一致しない場合のＤＴＶアプリケーション部１０７の動作を示すフローチャートである。
【図８】ＥＰＧに記述されているサービスＩＤに基づく番組データを正常に抽出することができた場合のＤＴＶアプリケーション部１０７の動作を示すフローチャートである。
【符号の説明】
【００７７】
１００…移動機、１０１…データ通信部、１０２…ＥＰＧアプリケーション部、１０３ …メモリ部、１０４…表示部、１０５…操作部、１０６ａ…アンテナ部、１０６      …チューナ部、１０７…ＤＴＶアプリケーション部、１０８…サービスＩＤ判断部、１０９…視聴チャンネル履歴記憶部、２００…ＥＰＧサイト、３００…ＥＰＧ情報源センタ、４００…放送局、５００…放送アンテナ。
【図１】
2006295637.tif 000003
【図２】
2006295637.tif 000004
【図３】
2006295637.tif 000005
【図４】
2006295637.tif 000006
【図５】
2006295637.tif 000007
【図６】
2006295637.tif 000008
【図７】
2006295637.tif 000009
【図８】
2006295637.tif 000010